(57)【要約】【課題】首口と足カバーを設け、足カバーの腕部をパイル面向かい合わせで縫製して、「毛布全体での保温効果」を高めつつ、更に「感触・風合い」と「商品としての体裁」も向上させる。【解決手段】略矩形状の毛布原反２を有する。毛布原反２を上端から下内方へ切り込んで形成された首口３と同時に、毛布原反２の下部に設けられた足カバー４を有し、足カバー４は、毛布原反２の上下方向中途における左右の各側端部を切り込むことで毛布原反２の下部で略逆Ｔ字状に左右外方向へ突出した腕部５、５が、突出端５ａ、５ａ側同士を環状に連結されて設けられ、毛布原反２は、片面パイル経編地の非パイル面２ａに起毛処理を施してパイル面２ｂのパイル繊維の一部が掻き出された両面パイル布帛で構成されていると共に、腕部５、５の突出端５ａ、５ａ側同士の連結は、毛布原反２の両面パイル布帛のパイル面２ｂ同士を向かい合わせにしての縫製で行われている。【選択図】図１
2014138683.tif 000002
【特許請求の範囲】
【請求項１】
略矩形状の毛布原反（２）を有する毛布であって、
前記毛布原反（２）を上端から下内方へ切り込んで形成された首口（３）と同時に、
前記毛布原反（２）の下部に設けられた足カバー（４）を有し、
この足カバー（４）は、前記毛布原反（２）の上下方向中途における左右の各側端部をそれぞれ切り込むことで前記毛布原反（２）の下部で略逆Ｔ字状に左右外方向へそれぞれ突出した腕部（５、５）が、これらの突出端（５ａ、５ａ）側同士を環状に連結されて設けられ、
前記毛布原反（２）は、片面パイル経編地の非パイル面（２ａ）に起毛処理を施してパイル面（２ｂ）のパイル繊維の一部が掻き出された両面パイル布帛で構成されていると共に、
前記腕部（５、５）の突出端（５ａ、５ａ）側同士の連結は、前記毛布原反（２）の両面パイル布帛のパイル面（２ｂ）同士を向かい合わせにしての縫製で行われていることを特徴とする毛布。
【請求項２】
前記足カバー（４）は、環状に連結された前記腕部（５、５）の下開口（５ｂ）側を閉じて袋状に形成され、
前記腕部（５、５）の下開口（５ｂ）側の閉じは、前記毛布原反（２）の両面パイル布帛のパイル面（２ｂ）を袋内面側としての縫製で行われていることを特徴とする請求項１に記載の毛布。
【請求項３】
前記毛布原反（２）の上下方向の長さ（Ｌ）は、１４０ｃｍ以上２３０ｃｍ以下であることを特徴とする請求項１又は２に記載の毛布。
【発明の詳細な説明】
【技術分野】
【０００１】
本発明は、後加工する前の毛布原反が略矩形状である毛布に関するものである。
【背景技術】
【０００２】
従来、保温性の向上を目的とした保温シート及び毛布が知られている（特許文献１参照）。
この保温シート及び毛布は、基材や毛布本体の表面から保温布を突出させて帯状に設け、この帯状の保温布を複数配列したものである。
【先行技術文献】
【特許文献】
【０００３】
【特許文献１】特開２００２−２２３９１５号公報
【発明の概要】
【発明が解決しようとする課題】
【０００４】
しかしながら、特許文献１に記載された保温シート及び毛布は、保温布によって、腰から下や足先など下半身などの保温効果を高めるものに過ぎず、その下半身等も、寝返りによって、保温シート及び毛布そのものが、使用者からズレてしまえば、保温できない。
又、特許文献１の保温シート及び毛布は、基材や毛布本体に対して、帯状の保温布を突出させて縫合していることから、その縫合跡が、保温布の表裏何れかの側で必ず露出し、縫合跡を隠す（商品としての体裁を整える）等は出来ない。
更に、特許文献１の保温シート及び毛布は、略矩形状のままの基材や毛布本体に対して、保温布を設けていることから、略矩形状の基材や毛布本体を生かすことなく、別途用意する保温布や、この保温布用のロール等の設備が、必須となる。
【０００５】
本発明は、このような点に鑑み、毛布原反を上端から切り込んだ首口と下部の足カバーを設け、足カバーにおける腕部の突出端の連結を、両面パイル布帛のパイル面同士を向かい合わせにしての縫製で行うことで、「毛布全体での保温効果」を高めつつ、「感触（手触り、肌触り）・風合い」と「商品としての体裁」の向上も実現できる毛布を提供することを目的とする。
【課題を解決するための手段】
【０００６】
本発明に係る毛布１は、略矩形状の毛布原反２を有する毛布であって、前記毛布原反２を上端から下内方へ切り込んで形成された首口３と同時に、前記毛布原反２の下部に設けられた足カバー４を有し、この足カバー４は、前記毛布原反２の上下方向中途における左右の各側端部をそれぞれ切り込むことで前記毛布原反２の下部で略逆Ｔ字状に左右外方向へそれぞれ突出した腕部５、５が、これらの突出端５ａ、５ａ側同士を環状に連結されて設けられ、前記毛布原反２は、片面パイル経編地の非パイル面２ａに起毛処理を施してパイル面２ｂのパイル繊維の一部が掻き出された両面パイル布帛で構成されていると共に、前記腕部５、５の突出端５ａ、５ａ側同士の連結は、前記毛布原反２の両面パイル布帛のパイル面２ｂ同士を向かい合わせにしての縫製で行われていることを第１の特徴とする。
【０００７】
本発明に係る毛布１の第２の特徴は、上記第１の特徴に加えて、前記足カバー４は、環状に連結された前記腕部５、５の下開口５ｂ側を閉じて袋状に形成され、前記腕部５、５の下開口５ｂ側の閉じは、前記毛布原反２の両面パイル布帛のパイル面２ｂを袋内面側としての縫製で行われている点にある。
【０００８】
本発明に係る毛布１の第３の特徴は、上記第１又は２の特徴に加えて、前記毛布原反２の上下方向の長さＬは、１４０ｃｍ以上２３０ｃｍ以下である点にある。
【０００９】
これらの特徴により、毛布原反２を上端から下内方へ切り込んだ首口３と同時に、毛布原反２下部の足カバー４を有し、足カバー４は、毛布原反２の上下方向中途における左右側端部を切り込み略逆Ｔ字状に突出した腕部５、５を、突出端５ａ、５ａ側同士を環状に連結して設けることで、使用者Ｓの首元・左右の両肩と同時に足先や脚部も覆いながら、毛布１の全体形状が、上半身側は幅広（幅広部１１）で、下半身側はより幅狭の筒様（環状）とした略Ｔ字状（生物であれば、マンタ（オニイトマキエイ）状）になる。
このような毛布１のマンタ状の形であれば、寝返りを打っても、使用者Ｓの首元等を首口３に入れたまま、使用者Ｓの背中を幅広部１１が覆うことができ且つ腕の動きの自由度も広く確保できると共に、筒様の足カバー４が使用者Ｓの脚部からズレることはなく且つ脚部の動きにあわせて足カバー４全体も動く（曲がる）ことが出来る。
又、本発明に係る毛布１は、略矩形状の毛布原反２自体を利用して形成されていることから、毛布原反２のみを用いてマンタ状としたり、別の布帛１４を用いるとしても、その量を必要最小限に抑えて、生産規模や市販するバリエーションに併せて、別の布帛１４用のロール等の設備やコストの負担を可及的に低減できる。
尚、このマンタ状の毛布１は、筒様の足カバー４の表裏をリバーシブル可能な構成にもなっている。
【００１０】
更に、毛布原反２を、片面パイル経編地の非パイル面２ａに起毛処理を施してパイル面２ｂのパイル繊維の一部が掻き出された両面パイル布帛で構成すると共に、腕部５、５の突出端５ａ、５ａ側同士の連結を、両面パイル布帛のパイル面２ｂ同士を向かい合わせにしての縫製で行うことで、腕部５、５の突出端５ａ、５ａ側同士を連結する縫製跡を、あえて非パイル面２ａ側に残すこととなる。
ここで、非パイル面２ａより、パイル面２ｂの方が「感触・風合い」は良いことから、このパイル面２ｂを、毛布１（足カバー４）の表側（商品陳列時等に露出する筒外側）にすれば、同時に縫製跡も隠れることとなって、小売店としては、「商品としての体裁」を向上できる。
逆に、「就寝時に実際に使用した際の手触り・肌触り」を重視する消費者に販売する際には、「感触・風合い」の良いパイル面２ｂを、毛布１（足カバー４）の裏側（商品陳列時等に露出しない筒内側）にすれば、就寝（座位）等で使用する使用者Ｓに接触するのは、パイル面２ｂのみとなって、「感触（手触り、肌触り）・風合い」の良さを体感できる。
つまり、「感触（手触り、肌触り）・風合い」と「商品としての体裁」の向上を、消費者や小売業者が、選択的に実現できる。
【００１１】
尚、図７で示したように、この両面パイル布帛におけるパイル面２ｂは、もともと規則的に編成され、センターカット又はループパイルをシャーリングして、パイルの先端を揃え易い。
一方、図８で示された如く、両面パイル布帛における非パイル面２ａは、起毛処理により、パイル面２ｂ側のパイル繊維の一部を掻き出すため、掻き出される繊維にどうしてもバラツキが生じる。
よって、パイル面２ｂの方が、非パイル面２ａより、感触（手触り、肌触り）や、柄出し・染色した際の風合い等が良い。
又、本出願において、「切り込む」とは「『切込み』を入れる」ことだけでなく、「複数の箇所から『切込み』を入れて、所定範囲を切り欠く」ことも意味する。
【００１２】
更に加えて、足カバー４を、腕部５、５の下開口５ｂ側を閉じて袋状に形成すれば、足カバー４内の空気が外へ漏れ難く、脚部の保温性を高めているのに加えて、更に、腕部５、５の下開口５ｂ側の閉じを、両面パイル布帛のパイル面２ｂを袋内面側としての縫製で行うことで、腕部５、５の下開口５ｂ側を閉じる縫製跡も、やはり非パイル面２ａ側に残ることとなる。
つまり、たとえ足カバー４を袋状にしても、「感触・風合い」の良いパイル面２ｂを、毛布１の表側（商品陳列時等に露出する筒外側）にすれば、同時に縫製跡も隠れることに変わりはなく、且つ、毛布１のリバーシブル性にも影響がないため、パイル面２ｂを毛布１の裏側にすれば、就寝等で使用する使用者Ｓへの接触は、パイル面２ｂのみとなって、「感触（手触り、肌触り）・風合い」の良さも維持できる。
【００１３】
そして、毛布原反２の上下方向の長さＬを、１４０ｃｍ以上２３０ｃｍ以下とすることで、図６に示す如く、座っている使用者Ｓの足元から背中、両肩口に亘って覆う使用態様で、毛布１（毛布原反２）の上下長さＬが長すぎず、毛布１の上部が、使用者Ｓの手元に垂れる（作業等に差し支える）ことはない。
【発明の効果】
【００１４】
本発明に係る毛布によると、毛布原反を上端から切り込んだ首口と同時に、下部の足カバーを設け、足カバーにおける腕部の突出端の連結を、両面パイル布帛のパイル面同士を向かい合わせにしての縫製で行うことによって、「毛布全体の保温効果」と「感触・風合い」と「商品としての体裁」を向上できる。
【図面の簡単な説明】
【００１５】
【図１】本発明の第１実施形態に係る毛布を示す斜視図である。
【図２】第１実施形態に係る毛布における縫製前の状態を示す斜視図である。
【図３】第１実施形態に係る毛布における縫製後の状態を示す斜視図である。
【図４】本発明の第２実施形態に係る毛布を示す斜視図である。
【図５】本発明に係る毛布の使用状態を示す斜視図である。
【図６】本発明に係る毛布の別の使用状態を示す斜視図である。
【図７】本発明に係る毛布のパイル面を示す図面代用写真である。
【図８】本発明に係る毛布の非パイル面を示す図面代用写真である。
【発明を実施するための形態】
【００１６】
以下、本発明の実施形態を、図面を参照して説明する。
＜第１実施形態＞
図１〜３、５〜８には、本発明の第１実施形態に係る毛布１が示されている。
この毛布１は、略矩形状の毛布原反２に、首口３と足カバー４や、幅広部１１、縁取部（ヘム）１２を設けるなどの後加工を施したものである。
【００１７】
＜毛布原反２＞
毛布原反２は、略矩形状であって、その上下方向の長さ（上下長さ）Ｌや、左右方向の長さ（左右幅）Ｗは、限定されるものではないが、既存のサイズ（シングルサイズ、セミダブルサイズ、ダブルサイズ、クイーンサイズ、キングサイズや、ハーフサイズ、クォーターサイズ等）に合わせたものでも構わない。
上下長さＬについては、８０ｃｍ以上３００ｃｍ以下（より具体的には、例えば、１００ｃｍ、１４０ｃｍ、２００ｃｍ、２３０ｃｍ、２５０ｃｍ）であったり、左右幅Ｗについては、５０ｃｍ以上２５０ｃｍ以下（より具体的には、例えば、７０ｃｍ、１００ｃｍ、１４０ｃｍ、１６０ｃｍ、１８０ｃｍ、２００ｃｍ、２３０ｃｍ）であっても良い。
【００１８】
尚、図６のように、使用者Ｓが座位の状態で、毛布１を使用する際には、上下長さＬを１４０ｃｍ以上２３０ｃｍ未満としても良く、このような適度な長さとすることで、使用者Ｓの足元から背中、両肩口まで覆いつつ、使用者Ｓの手元に、毛布１の上部が垂れることを押さえ、手元での作業等に差し支えない。
【００１９】
毛布原反２は、アクリル、ポリエステルなどの合成樹脂から成る繊維を、編成・開毛・起毛等の処理を施して作られている。
又、両面パイル布帛を、綿、絹、羊毛、獣毛等から編成できるのであれば、これらの天然素材を用いても良い。
【００２０】
毛布原反２は、片面パイル経編地の非パイル面２ａに起毛処理を施してパイル面２ｂのパイル繊維の一部を掻き出した（ニューマイヤーと称される）両面パイル布帛で構成されている。
この両面パイル布帛の基となる片面パイル経編地は、例えば、ダブルラッシェル経編機によって編成された二重経編地を、表地・裏地の間に亘る糸（連結糸）をセンターカットして作られたり、シングルラッシェル経編機やトリコット経編機によって編成された片面パイル経編地のループパイルをシャーリングすること等で作られる。
この片面パイル経編地の非パイル面２ａに対して、針布を巻きつけた起毛ロール等によって起毛処理を施すことで、非パイル面２ａにもパイルを起毛させることが出来る。
【００２１】
図７では、この両面パイル布帛におけるパイル面２ｂが、もともと規則的に編成されたパイル組織であって、開毛等をしても、１本１本が繊維として残っていることが示されており、片面パイル経編地を、センターカット又はループパイルをシャーリングすることによって、パイルの先端を揃え易い。
しかし、図８で示されたような、両面パイル布帛における非パイル面２ａは、起毛ロール等で、パイル面２ｂ側のパイル繊維の一部を、強引に掻き出すため、掻き出される繊維の位置や量が揃わず、掻き出された繊維同士も、互いに絡まっている。
【００２２】
従って、非パイル面２ａのバラついた起毛繊維をシャーリングしても、もともと規則的に編成されたパイル面２ｂとは、どうしても表面性情が異なり、パイル面２ｂの方が、非パイル面２ａより、感触（手触り、肌触り）が良くなり、毛布１（毛布原反２）を柄だし・染色した際の風合い（発色）も鮮やかとなる。
この表面性情の異なりと、縫製時の毛布原反２の向きから、非パイル面２ａとパイル面２ｂと縫製部分の見せ方（露出する側の選び方）が、「感触・風合い」と「商品としての体裁」の向上に繋がる。
【００２３】
＜首口３＞
図１〜３、５、６に示された如く、首口３は、毛布原反２を、上端における左右方向略中央から下内方へ一直線に切り込んで形成されている。
首口３の切込み深さＫは、毛布１を被った使用者Ｓの脚部が足カバー４に入った状態で、使用者Ｓの頚部前面が首口３の底３ａに位置する深さであれば、何れであっても構わないが、例えば、２０〜３０ｃｍであっても良い。
【００２４】
この首口３は、その底３ａから左右切込み上端３ｂ、３ｂ、そして、毛布原反２の上端縁にかけて一続きの縁取部１２ａが設けられ、首口３において向かい合う左右内端縁からの解れ・毛布原反２の断面の露出、更には、底３ａから更に下内方への裂けを防いでいる。
尚、首口３の左右切込み上端３ｂ、３ｂは、角をとって丸みを付けていても良い。
【００２５】
＜足カバー４＞
図１〜３、５、６に示されたように、足カバー４は、毛布原反２の下部に筒様（環状）に設けられて、使用者Ｓの脚部を覆うものである。
足カバー４は、まず、毛布原反２の上下方向中途における左右の各側端部を、それぞれ切り込んで（左右の中途切込み１３、１３）、毛布原反２の下部において、略逆Ｔ字状に左右外方向へ、左右一対の腕部５、５をそれぞれ突出させる。
そして、これら左右の腕部５、５の突出端５ａ、５ａ側同士を、環状に連結することで、筒様の足カバー４を形成する。
【００２６】
これらの腕部５、５の突出端５ａ、５ａ側同士を連結する際には、腕部５、５（毛布原反２）を構成している両面パイル布帛のパイル面２ｂ同士を、向かい合わせに重ねた状態で、２枚の腕部５、５を縫製している。
この縫製は、２枚の腕部５、５の突出端５ａ、５ａ側（端部）における上端から下端までを縫製し、２枚の腕部５、５の突出端５ａ、５ａにおいて、その上端から下端にかけて、上述とはまた別の一続きの縁取部１２ｂが設けられている。
この縁取部１２ｂによって、各腕部５の突出端５ａにおける端縁からの解れ・毛布原反２の断面の露出を防いでいる。
【００２７】
更に、足カバー４では、環状に連結された（筒様の）腕部５、５の下開口５ｂ側を閉じて袋状に形成されている。
これらの腕部５、５の下開口５ｂ側を閉じる際には、腕部５、５（毛布原反２）を構成している両面パイル布帛のパイル面２ｂを袋内面側とし、且つ左右腕部５、５の突出長さ方向における略中央位置で各腕部５を折り曲げて、パイル面２ｂ同士を前後に向かい合わせとした状態で、２枚の腕部５、５を縫製している。
この縫製は、２枚の腕部５、５の下開口５ｂ側（下端部）における左端から右端までを縫製し、２枚の腕部５、５の下端部において、その左端から右端にかけて、上述した２つの縁取部１２ａ、１２ｂとはまた別の一続きの縁取部１２ｃが設けられている。
この縁取部１２ｃによって、各腕部５の下端縁からの解れ・毛布原反２の断面の露出を防いでいる。
【００２８】
尚、足カバー４形成のための左右の中途切込み１３における上下方向の高さ位置Ｌ１は、使用者Ｓの上半身（例えば、頭部の耳辺りから腰部まで）を覆う位置であれば良い。具体的には、例えば、毛布原反２の上端から１１０ｃｍや１２０ｃｍ下方の位置でも構わない。
この中途切込み１３の高さ位置Ｌ１は、毛布１の幅広部１１の上下長さも、当然、同じＬ１となる。又、足カバー４の上下長さＬ２は、当然に、毛布原反２の上下長さＬから、幅広部１１の上下長さＬ１を引いた長さとなる。
具体的に、例えば、毛布原反２の上下長さＬが２００ｃｍで、幅広部１１の上下長さＬ１が１１０ｃｍであれば、足カバー４の上下長さＬ２は９０ｃｍとなる。
【００２９】
一方、左右幅について言及すれば、毛布１の幅広部１１の左右幅Ｗ１は、当然、毛布原反２の左右幅Ｗと同じである（例えば、１４０ｃｍ）。
又、足カバー４の左右幅Ｗ２は、左右の腕部５、５をそれぞれ内側に折り曲げて環状に連結しているため、当然に、幅広部１１の左右幅Ｗ１より小さいが、使用者Ｓの脚部を、筒内に入れられる幅であれば、どのような幅でも構わない。具体的には、例えば、各腕部５、５を折り畳んでパイル面２ｂ同士が接触した状態で、７０ｃｍや８０ｃｍであっても良い。
【００３０】
尚、毛布１は、足カバー４の表裏をリバーシブル可能な構成になっている。
又、毛布１は、略矩形状の毛布原反２のみを利用して、足カバー４や首口３を形成されていることから、別の布帛を用いる必要がなく、毛布全体の設備やコストの負担を低減できる。
【００３１】
＜縁取部１２＞
上述した３つの縁取部１２は、所定幅を有した帯状布帛であって、この幅は、毛布原反２の端縁における断面を覆い隠し、縫い代も確保できる幅である。
３つの縁取部１２のうち、縁取部（上縁取部）１２ａは、それぞれ、首口３から幅広部１１、左右の中途切込み１３、１３までを１本の帯状布帛で覆っている。
又、腕部５、５の突出端５ａ、５ａ側同士を連結する縫製部分を覆う縁取部（連結縁取部）１２ｂは、腕部５、５（足カバー４）の上下長さＬ２と略同じ長さを有し、腕部５、５の下開口５ｂ側同を閉じる縫製部分を覆う縁取部（閉じ縁取部）１２ｃは、足カバー４の左右幅Ｗ２と略同じ長さを有している。
【００３２】
＜使用態様＞
毛布１の使用態様を説明する。
図５に示した如く、使用者Ｓは、敷布団に横たわる（枕も使用する）際に、敷布団上にある毛布１の足カバー４内へ、毛布原反２の裏側（露出していない側）にある上開口５ｃから脚部（両脚）を入れる。
脚部を足カバー４に入れた後、使用者Ｓは、毛布１を、首口３の底３ａが頚部前面にくるまで引き上げる。
【００３３】
このとき、毛布１（幅広部１１）の上端は、使用者Ｓの肩よりも上方に位置する。
この状態で寝返りを打って使用者Ｓが横に向いても、その顎の動きに伴って、首口３も左右方向に動き、横に向いた使用者Ｓの背中を幅広部１１で覆うことが出来る。
尚、横向きになっても、幅広部１１の上端は、使用者Ｓの肩より上方に位置したままであり、使用者Ｓの腕の動きは制限されることがない。
更に、これと同時に、足カバー４は、使用者Ｓの寝返り、膝の屈伸等の動きに追従して、捩れたり、屈曲することが可能である。
従って、「毛布１全体の保温効果」を、使用者Ｓの姿勢を問わず確保できる。
【００３４】
又、図６に示したように、使用者Ｓは、ソファー等の椅子に腰掛けた状態で、本発明に係る毛布１を使用することも出来る。
つまり、使用者Ｓは、椅子の前で、毛布１における足カバー４の上開口５ｃ側に立ち、ズボンを穿くように、脚部（両脚）を足カバー４内に入れ、足カバー４の上開口５ｃ縁が腰の前にくるまで引き上げる。
【００３５】
この状態で、使用者Ｓは、後ろの椅子に、毛布１（幅広部１１）越しに腰掛け、背中側から幅広部１１の上端を引き上げて、首口３の底３ａが、頚部の後面にくるように、幅広部１１における左右の上部（肩当部）１１ａ、１１ａを、それぞれの肩に掛ける。
このように毛布１を使用することで、使用者Ｓは、座位でありながらも、足先から左右の太腿前面、腰後面、背中、頚部後面、両肩を、毛布１で覆うことが出来ると共に、左右の腕を前に出すことも可能なことから、この使用態様のまま作業もできる。
尚、座位での毛布１の使用は、使用者Ｓの背中側に幅広部１１を羽織るだけでなく、使用者Ｓの腹側（前身側）に幅広部１１を位置させ且つ脚部を足カバー４内に入れることも可能である。
【００３６】
＜第２実施形態＞
図４には、本発明の第２実施形態に係る毛布１が示されている。
この第２実施形態において第１実施形態と最も異なるのは、足カバー４における左右の腕部５、５の突出端５ａ、５ａ側を、別の布帛１４を介して、縫製で連結している点である。
このように、左右の突出端５ａ、５ａの間に、別の布帛１４を設けることで、足カバー４の左右幅Ｗ２が広がり、その中に入れた使用者Ｓの脚部の自由度が増す。
【００３７】
尚、突出端５ａ、５ａ間の別の布帛１４は、左右の腕部５、５の突出端５ａ、５ａと、縫製によって連結可能であれば、何れの素材であっても構わないが、毛布原反２と同様で、上述した両面パイル布帛であることが好ましい。
又、このように別の布帛１４を用いても、足カバー４は、略矩形状の毛布原反２自体を利用して形成されていることから、別の布帛１４を用いる量を必要最小限に抑えることが出来、別の布帛１４の運搬や、別の布帛１４を製造ラインへ送り出す巻きロール等の設備、コストの負担を可及的に低減できる。
その他の毛布１の構成、作用効果及び使用態様は、第１実施形態と同様である。
【００３８】
＜その他＞
本発明は、上述した実施形態に限定されるものではない。毛布１等の各構成又は全体の構造、形状、寸法などは、本発明の趣旨に沿って適宜変更することが出来る。
首口３（切込み）自体の形状も、下内方への一直線状ではなく、複数の箇所から切込みを入れて、所定範囲（例えば、略Ｕ字状や略Ｖ字状等）を切り欠いても良い。
又、首口３の切込みを、毛布原反２の上端における左右方向略中央ではなく、あえて中央から左右何れか一方にずれた位置から下内方へ所定距離だけ切り込んだ後、左右方向略中央に向けて略く字状に切り込んでも良い。
【００３９】
更に、首口３の周辺に別布を当てて、使用者Ｓの首元、両肩を覆う部分（幅広部１１における肩当部１１ａ、１１ａ）を二重にしても構わない。
足カバー４は、左右の腕部５、５の下開口５ｂ（下端）側を閉じて袋状に形成したが、腕部５、５の下開口５ｂを、そのまま開けて、足カバー４を筒様としても良い。
【００４０】
尚、その際、縁取部（閉じ縁取部）１２ｃを、図３のように設けなくも良いが、下開口５ｂを開いたままで、突出端５ａ、５ａ側を連結した腕部５、５の下端縁を、環状に覆うように縁取部１２を設けても構わない。
又、いずれの縁取部１２も、毛布原反２の端の始末や、腕部５、５における突出端５ａ、５ａ側同士の連結、下開口５ｂ側の閉じ等を実現できるのであれば、所定幅を有した帯状布帛を用いずとも、オーバーロック（縁かがり縫い）や、インターロック（安全縫い）などで、それぞれの縫い代の始末（縫製）をしても良い。
【符号の説明】
【００４１】
１      毛布
２      毛布原反
２ａ    毛布原反を構成する両面パイル布帛の非パイル面
２ｂ    毛布原反を構成する両面パイル布帛のパイル面
３      首口
４      足カバー
５      足カバーの腕部
５ａ    足カバーの腕部の突出端
５ｂ    足カバーの腕部の下開口
Ｌ      毛布原反の上下方向の長さ
【図１】
2014138683.tif 000003
【図２】
2014138683.tif 000004
【図３】
2014138683.tif 000005
【図４】
2014138683.tif 000006
【図５】
2014138683.tif 000007
【図６】
2014138683.tif 000008
【図７】
2014138683.tif 000009
【図８】
2014138683.tif 000010